(57)【特許請求の範囲】
【請求項１】
底部と、側部と、前記底部の上方であって前記底部に対向する頂部と、前記側部および前記頂部で区画され注水および排水をする注排水口とを備え、
前記頂部に茎を通す茎孔が設けられ、前記注排水口の開口面積が前記茎孔の開口面積よりも大きく、
前記頂部は、前記側部の複数個所から延伸され、これら複数の延伸部のうち少なくとも２つが重なり合っている部分を有し、
少なくとも前記重なり合っている部分に前記茎孔が設けられている花器。
【請求項２】
請求項１において、
前記頂部が前記側部の複数個所と連通され、前記注排水口が複数設けられている花器。
【請求項３】
請求項１または２において、
前記底部の内面には、茎を差し込む穴が設けられている花器。
【請求項４】
請求項１から３のいずれかにおいて、
前記底部、前記側部、および前記頂部が一体で構成されている花器。
【発明の詳細な説明】
【技術分野】
【０００１】
本発明は、切花の茎が支持できる花器に関する。
【背景技術】
【０００２】
切花を飾る場合、花瓶や水盤が用いられる。一般に、花瓶の開口は切花の茎と比べてかなり大きいため、切花を花瓶に固定するのは困難である。また、水盤は浅くて広い鉢であるため、切花を水盤に固定するのも困難である。
【０００３】
開口部が大きい花瓶に切花を固定する支持具が、特許文献１に開示されている。しかしながら、この支持具は花瓶の側壁の内面で保持されるため、好みの花瓶に使用する場合、その花瓶の形状に合わせた支持具を作製しなければならない。また、水盤に切花を固定する場合、剣山やスポンジを使用することが多い。剣山は取り扱いに注意を要し、スポンジは繰り返して使用する際の耐久性に劣る。
【０００４】
切花の茎を支持する孔を有する花器が、特許文献２に開示されている。この花器は、茎の支持具と花器を一体化したような構造を有するため、経済性やデザイン性に優れる。しかしながら、この花器は、茎の支持孔が注排水口を兼ねているため、注排水の作業性に劣る。また、花器内部の掃除がしにくい。
【先行技術文献】
【特許文献】
【０００５】
【特許文献１】特開２０００−１９７５４９号公報
【特許文献２】特開２００９−２４７８４８号公報
【発明の概要】
【発明が解決しようとする課題】
【０００６】
本発明は、このような事情に鑑みてなされたものであり、注排水、内部の掃除、および茎の固定が容易にでき、デザイン性に優れた花器を提供することを目的とする。
【０００７】
本発明の花器は、底部と、側部と、底部の上方であって底部に対向する頂部と、側部および頂部で区画され注水および排水をする注排水口とを備え、頂部に茎を通す茎孔が設けられ、注排水口の開口面積が茎孔の開口面積よりも大きい。
【０００８】
そして、本発明の花器は、頂部は、側部の複数個所から延伸され、これら複数の延伸部のうち少なくとも２つが重なり合っている部分を有している。さらに、本発明の花器は、この少なくとも重なり合っている部分に茎孔が設けられている。
【０００９】
本発明の花器において、頂部が側部の複数個所と連通され、注排水口が複数設けられていることが好ましい。また、本発明の花器において、底部の内面には、茎を差し込む穴が設けられていてもよい。また、本発明の花器において、底部、側部、および頂部が一体で構成されていてもよい。
【発明の効果】
【００１０】
本発明によれば、注排水、内部の掃除、および茎の固定が容易にできる。また、デザイン性に優れた花器が得られる。
【図面の簡単な説明】
【００１１】
【図１】本発明の第１の実施形態に係る花器の平面図である。
【図２】本発明の第１の実施形態に係る花器の正面図である。
【図３】本発明の第２の実施形態に係る花器の斜視図である。
【発明を実施するための形態】
【００１２】
以下、本発明の花器について、各実施形態に基づき図面を参照しながら説明する。なお、各実施形態において、重複説明は適宜省略する。
【００１３】
図１は、本発明の第１の実施形態に係る花器１０の平面図であり、図２は、花器１０の正面図である。花器１０は、底部１２と、側部１４と、頂部１６と、注排水口１８と、茎孔２０とを備える。茎孔２０の開口面積よりも大きな開口面積を有する注排水口１８が花器１０に設けられているので、花器１０への注水および花器１０からの排水や花器１０の内部の掃除が容易にできる。また、花器１０に茎孔２０が設けられているので、切花等の茎を茎孔２０に通すことによって、花器１０に入れる切花等を容易に固定できる。
【００１４】
花器１０は、板状の陶器材料、例えば板状粘土を、切断したり折り曲げたりしながら成形した後、施釉および焼成工程を経て製造される。本実施形態の花器１０は陶器であるが、本発明の花器は陶器に限定されない。本発明の花器の材質としては、陶器の他に、例えば、磁器、ガラス、セラミックス、天然石、人工石、金属、木材、炭、合成樹脂等が挙げられる。
【００１５】
花器の材質を適宜選択することによって、本発明の花器は、切花を入れた場合はもちろん、単独でも美術品、工芸品として使用できる。なお、花器の製造方法は、花器の材質に応じた方法が採用できる。例えば、合成樹脂製の花器は、成型加工によって製造され、ガラス製の花器は、溶融加工によって製造される。
【００１６】
また、本実施形態の花器１０では、製造効率やコスト等を考慮して底部１２、側部１４、および頂部１６が一体で構成されているが、本発明の花器はこれらが一体でなくてもよい。花器１０は、図１および図２に示すような外観形状をしているが、本発明の花器はこの形状に限定されない。本発明の花器の形状としては、平面的な形状や立体的な形状が挙げられる。
【００１７】
平面的な形状としては、皿形、楕円形、円形、半円形、三角形や四角形等の多角形、半月形、三日月形、星形、ハート形等が挙げられる。立体的な形状としては、直方体や立方体等の多面体形、円筒形、杯形、酒器形、土瓶形、瓦形、魚形、球形、半球形、山形、ドーム形、円錐形、角錐形等が挙げられる。花器の外観形状を適宜選択することによって、本発明の花器は、切花を入れた場合はもちろん、単独でも美術品、工芸品として使用できる。
【００１８】
底部１２は、その外面が机や棚等の花器１０の設置場所に接する。底部１２の内面は、花器１０に入れられた切花等の茎の下端に接触して茎を下から支える。なお、底部１２の内面に茎を差し込む穴（非貫通孔）を設けてもよい。底部１２の内面に穴を設けて茎を差し込むことによって、切花等の茎をより強く固定できる。さらに、底部１２の内面に穴を設ける代わりに、底部１２の内面を凹凸構造にしてもよい。茎孔２０と比べて茎の径が小さい場合でも、この凹凸構造で茎の下端を保持することによって、茎の茎孔２０内での移動や傾倒を抑えることができる。
【００１９】
側部１４は、底部１２を囲んでいる。注排水口１８より注入された水は、側部１４の内側に貯蔵される。頂部１６は、底部１２の上方であって底部１２に対向するように設けられている。本実施形態の花器１０では、図１に示すように、側部１４の２個所からほぼ水平方向に延伸され、これらの延伸部の一部が底部１２の上方で重なり合っている。側部１４からの２個所の延伸部が重なり合っている部分を頂部１６が有するため、頂部１６の強度が向上している。
【００２０】
また、側部１４からの延伸部が重なり合っている部分にも茎孔２０が設けられている。この部分に設けられた茎孔２０では、孔が深いため、切花等の茎をより強く固定することができる。なお、本実施形態の花器１０では、頂部１６が側部１４からの２個所の延伸部が重なり合っている部分を有するが、これに代えて、頂部は、側部の３個所以上から延伸され、これら３個所以上の延伸部のうち少なくとも２つが重なり合っている部分を有する構造とすることもできる。そして、この少なくとも２つが重なり合っている部分に茎孔２０を設けてもよい。
【００２１】
注排水口１８は、側部１４および頂部１６で区画され、ここから注水および排水をする。すなわち、図１に示すように、注排水口１８は、側部１４と頂部１６で囲まれた開口部である。注排水口１８の開口面積は、茎孔２０の開口面積より大きい。このため、花器１０への注水や花器１０からの排水、および花器１０の内部の掃除が容易にできる。
【００２２】
本実施形態の花器１０では、頂部１６が側部１４の２個所と連通されているため、側部１４および頂部１６で区画される開口部、すなわち注排水口１８が２つあるが、後述する第２の実施形態のように、注排水口１８が１つであってよいし、３つ以上であってもよい。なお、注排水口１８の開口形状は特に限定されない。
【００２３】
茎孔２０は、花器１０に入れられる切花等の茎が通される。底部１２の上方であって底部１２に対向する頂部１６に茎孔２０が設けられているため、茎の下端を底部１２の内面で、茎の上方を茎孔２０の内面でそれぞれ支持することができる。本実施形態の花器１０では、直径２ｍｍから５ｍｍの茎孔２０を５個、直径５ｍｍから１０ｍｍの茎孔２０を２個設けているが、茎孔２０の大きさ、個数、開口形状は特に限定されない。
【００２４】
すなわち、茎孔２０は１つであってもよいし、２つ以上であってもよい。茎孔２０の開口形状としては、円形、楕円形、半円形、三角形や四角形等の多角形、半月形、三日月形、星形、ハート形等が挙げられる。また、茎孔２０の形状や大きさが、孔の深さ方向の途中で変化していてもよい。さらに、茎孔２０は必ずしも鉛直方向に貫通していなくてもよく、例えば、鉛直方向に対して斜めの方向に貫通していてもよい。
【００２５】
茎孔２０の全てに茎を通す必要はなく、一部のみを使用してもよい。また、１つの茎孔２０に複数の茎を通してもよいし、茎と他の物質、例えば棒状の装飾品を一緒に１つの茎孔２０に通してもよい。
【００２６】
図３は、本発明の第２の実施形態に係る花器３０の斜視図である。花器３０は、下方形状が枡形であり、側部３４の１つの角とその付近から、ほぼ水平方向に側部３４を延伸させて頂部３６を形成している。頂部３６は、ほぼ三角形の形状を有している。
【符号の説明】
【００２７】
１０，３０  花器
１２        底部
１４，３４  側部
１６，３６  頂部
１８        注排水口
２０        茎孔
【図１】
0005822374.tif 000002
【図２】
0005822374.tif 000003
【図３】
0005822374.tif 000004